【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
互いに螺合可能な雄ネジと雌ネジとから成り、
上記雄ネジもしくは上記雌ネジのいずれか一方のネジ部を、他方のネジ部と螺合可能な山部と谷部を有する通常ネジ部と、この通常ネジ部の終端部に螺設された圧接ネジ部とによって形成し、
上記圧接ネジ部は、上記通常ネジ部と同じ角度の山部を有するとともに上記通常ネジ部側に僅かに倒れ込んだ斜面を持つことによりネジピッチが僅かに小さく形成され、
上記圧接ネジ部近傍のネジ本体部には、上記他方のネジ部と接触したときに上記圧接ネジ部のネジ山が材料の弾性によって外方に撓み変形して上記他方のネジ部との螺合を許容させる逃げ空間部が形成されている、
ことを特徴とする締着具。
【請求項２】
互いに螺合可能な雄ネジと雌ネジとから成り、
ナット本体を貫通する上記雌ネジを、上記雄ネジと螺合可能な山部と谷部とを有するとともに座面側の雌ネジ始端からヘッド面側の雌ネジ終端部近傍にかけて螺設された通常ネジ部と、この通常ネジ部に連続して上記雌ネジ終端部に螺設され、上記通常ネジ部と同じ角度の山部を有するとともに上記通常ネジ部側に僅かに倒れ込んだ圧接ネジ部とによって形成し、
雌ネジ終端側に位置する上記ナット本体のヘッド面に、上記雌ネジ終端開口と所要の距離をおくとともにこれに沿って環状溝もしくは段差部を設け、
上記環状溝もしくは上記段差部は、上記雄ネジが上記雌ネジの上記圧接ネジ部と接触したときに上記圧接ネジ部が上記ナット本体を形成する材料の弾性によって上記雄ネジのネジ山に圧接しながら外方に撓み変形して上記雌ネジへの上記雄ネジの螺入を許容させる位置と深さに形成されている、
ことを特徴とする締着具
【請求項３】
互いに螺合可能な雄ネジと雌ネジとから成り、
上記雌ネジに螺入される上記雄ネジの先端から基端近傍にかけて、上記雌ネジと螺合可能な山部と谷部とを有する通常ネジ部を形成し、
上記雄ネジの基端部に、上記通常ネジ部と同じ角度の山部を有するとともに上記通常ネジ部側に僅かに倒れ込んだ斜面を持つ圧接ネジ部を上記通常ネジ部に連続して形成し、
上記雄ネジの基端面には、上記雌ネジのネジ部と接触したときに上記圧接ネジ部のネジ山が材料の弾性によって外方に撓み変形して他方のネジ部との螺合を許容させる凹所が形成されている、
ことを特徴とする締着具。
【請求項４】
上記圧接ネジ部は、上記ネジ終端部にほぼワンピッチ分形成されている、
ことを特徴とする請求項１から３のいずれかに記載の締着具。
【請求項５】
上記圧接ネジ部は、上記通常ネジ部方向に倒れ込んでいて直前の上記通常ネジ部のネジ山斜面との間の谷の角度が上記通常ネジ部の谷の角度よりも僅かに小さい、
ことを特徴とする請求項１から３のいずれかに記載の締着具。
【請求項６】
上記圧接ネジ部は、上記通常ネジ部から成るネジの終端部に上方から圧力を加えてほぼワンピッチ分のネジ部を倒れ込み変形させて形成された、
ことを特徴とする請求項１から３のいずれかに記載の締着具。
【請求項７】
上記環状溝は、雌ネジの内径よりもやや外側に位置し、ヘッド面から圧接ネジ部と通常ネジ部との境界部に至る深さを有する、
ことを特徴とする請求項２記載の締着具。
【請求項８】
上記環状溝は、外周面が外側に傾斜している、
ことを特徴とする請求項２記載の締着具。
【請求項９】
上記段差部は、上記雌ネジの内径よりもやや外側の位置から上記ナット本体の外周端にかけて、上記圧接ネジ部と上記通常ネジ部との境界部に至る深さで形成されている、
ことを特徴とする請求項２記載の締着具。
【手続補正２】
【補正対象書類名】明細書
【補正対象項目名】０００８
【補正方法】変更
【補正の内容】
【０００８】
本発明は、上記した目的を達成するために次の構成を備える。
すなわち、請求項１に記載された発明に係る締着具は、互いに螺合可能な雄ネジと雌ネジとから成り、雄ネジもしくは雌ネジのいずれか一方のネジ部を、他方のネジ部と螺合可能な山部と谷部を有する通常ネジ部と、この通常ネジ部の終端部に螺設された圧接ネジ部とによって形成されている。圧接ネジ部は、通常ネジ部と同じ角度の山部を有するとともに通常ネジ部側に僅かに倒れ込んだ斜面を持つことによりネジピッチが僅かに小さく形成されている。そして、圧接ネジ部が形成されたネジのネジ本体部には、圧接ネジ部の近傍に、他方のネジ部と接触したときに圧接ネジ部のネジ山が材料の弾性によって外方に撓み変形して他方のネジ部との螺合を許容させる逃げ空間部が形成されている。
【手続補正３】
【補正対象書類名】明細書
【補正対象項目名】０００９
【補正方法】変更
【補正の内容】
【０００９】
雌ネジに本発明を適用する場合、請求項２にあるように、例えばナット本体を貫通する雌ネジを、雄ネジと螺合可能な山部と谷部とを有するとともに座面側の雌ネジ始端からヘッド面側の雌ネジ終端部近傍にかけて螺設された通常ネジ部と、この通常ネジ部に連続して雌ネジ終端部に螺設され、通常ネジ部と同じ角度の山部を有するとともに通常ネジ部側に僅かに倒れ込んだ圧接ネジ部とによって形成する。そして、雌ネジ終端側に位置するナット本体のヘッド面に、雌ネジ終端開口と所要の距離をおくとともにこれに沿って環状溝もしくは段差部を設ける。この環状溝もしくは段差部は、雄ネジが雌ネジの圧接ネジ部と接触したときに、圧接ネジ部がナット本体を形成する材料の弾性によって雄ネジのネジ山に圧接しながら外方に撓み変形して雌ネジへの雄ネジの螺入を許容させる位置と深さに形成される。
【手続補正４】
【補正対象書類名】明細書
【補正対象項目名】００１０
【補正方法】変更
【補正の内容】
【００１０】
雄ネジに本発明を適用する場合、請求項３にあるように、雌ネジに螺入される雄ネジの先端から基端近傍にかけて、雌ネジと螺合可能な山部と谷部とを有する通常ネジ部を形成し、雄ネジの基端部に、通常ネジ部と同じ角度の山部を有するとともに通常ネジ部側に僅かに倒れ込んだ斜面を持つ圧接ネジ部を通常ネジ部に連続して形成する。そして、雄ネジの基端面には、雌ネジのネジ部と接触したときに圧接ネジ部のネジ山が材料の弾性によって外方に撓み変形して他方のネジ部との螺合を許容させる凹所を形成する。
【手続補正５】
【補正対象書類名】明細書
【補正対象項目名】００１２
【補正方法】変更
【補正の内容】
【００１２】
倒れこみの角度は、環状溝や段差部が形成されたナットの場合、ナット本体の素材の弾性によって環状溝もしくは段差部によって形成される逃げ空間に圧接ネジ部が撓み変形したときに、雄ネジに抵抗を与えつつその螺入を可能とする範囲で任意の角度に設定される。
圧接ネジ部は、例えばネジ終端部にほぼワンピッチ分形成される。場合によっては、半ピッチあるいは１．５ピッチなどワンピッチより少ないあるいはワンピッチを超えて形成されるようにしても良い。
【手続補正６】
【補正対象書類名】明細書
【補正対象項目名】００１５
【補正方法】変更
【補正の内容】
【００１５】
環状溝あるいは段差部の位置と深さによって、圧接ネジ部の撓み変形量が調整される。ナット本体の素材の弾性にもよるが、一般的には、撓み変形量が大きい場合には雄ネジに対する圧接力が小さくなり、撓み変形量が小さな場合には雄ネジに対する圧接力が大きくなる。したがって、圧接ネジ部の長さと環状溝あるいは段差部の位置と深さを調整することにより、緩止め作用が調整される。